(57)【要約】アップリンク信号を転送する方法が開示される。この方法は、ユーザ機器が所定の周期で周期的制御信号を物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を通じて転送し；前記ユーザ機器が、前記アップリンク信号が複数の連続するサブフレームで転送されるサブフレームバンドリング転送モードで作動する場合、前記周期的制御信号を無視し、該周期的制御信号を除く前記アップリンク信号を多重化し；前記多重化されたアップリンク信号を物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）を通じて転送する構成とした。【選択図】図１４
2011523263.tif 000002
【特許請求の範囲】
【請求項１】
ユーザ機器が所定の周期で周期的制御信号を物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を通じて転送し、
前記ユーザ機器が、前記アップリンク信号が複数の連続するサブフレームで転送されるサブフレームバンドリング転送モードで作動する場合、前記周期的制御信号を無視し、該周期的制御信号を除く前記アップリンク信号を多重化し、
前記多重化されたアップリンク信号を物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）を通じて転送すること、
を含む、アップリンク信号転送方法。
【請求項２】
前記複数の連続するサブフレームは、４サブフレームである、請求項１に記載のアップリンク信号転送方法。
【請求項３】
前記周期的制御情報は、チャネル品質情報（Ｃｈａｎｎｅｌ  Ｑｕａｌｉｔｙ  Ｉｎｄｉｃａｔｉｏｎ；ＣＱＩ）、プリコーディング行列インデックス（Ｐｒｅｃｏｄｉｎｇ  Ｍａｔｒｉｘ  Ｉｎｄｉｃａｔｏｒ；ＰＭＩ）及びランク情報（Ｒａｎｋ  Ｉｎｄｉｃａｔｉｏｎ；ＲＩ）のうち少なくとも１つを含む、請求項１に記載のアップリンク信号転送方法。
【請求項４】
前記ユーザ機器が、アップリンク信号が複数の連続するサブフレームで転送されるサブフレームバンドリング転送モードで作動する場合に、前記多重化したアップリンク信号を穿孔することによってＡＣＫ／ＮＡＣＫ（ＡＣＫｎｏｗｌｅｄｇｅｍｅｎｔ／Ｎｅｇａｔｉｖｅ  ＡＣＫｎｏｗｌｅｄｇｅｍｅｎｔ）情報を挿入することをさらに含む、請求項１に記載のアップリンク信号転送方法。
【請求項５】
ＲＦ（Ｒａｄｉｏ  Ｆｒｅｑｕｅｎｃｙ）ユニットと、
前記ＲＦユニットと作動可能に連結されている処理部と、
前記処理部と作動可能に連結されているメモリユニットと、
を含み、
前記処理部は、前記ＲＦユニットを用いて所定の周期で周期的制御信号を物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を通じて転送し、また、前記ユーザ機器が、前記メモリユニットに保存されているデータが複数の連続するサブフレームで転送されるサブフレームバンドリング転送モードで作動する場合に、前記周期的制御信号を無視し、該周期的制御信号を除く前記データを多重化し、該多重化されたデータを物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）を通じて転送する、ユーザ機器。
【請求項６】
前記複数の連続するサブフレームは、４サブフレームである、請求項５に記載のユーザ機器。
【請求項７】
前記周期的制御情報は、チャネル品質情報（Ｃｈａｎｎｅｌ  Ｑｕａｌｉｔｙ  Ｉｎｄｉｃａｔｉｏｎ；ＣＱＩ）、プリコーディング行列インデックス（Ｐｒｅｃｏｄｉｎｇ  Ｍａｔｒｉｘ  Ｉｎｄｉｃａｔｏｒ；ＰＭＩ）及びランク情報（Ｒａｎｋ  Ｉｎｄｉｃａｔｉｏｎ；ＲＩ）のうち少なくとも１つを含む、請求項５に記載のユーザ機器。
【請求項８】
前記処理部は、前記ユーザ機器が、前記メモリユニットに保存されているデータが複数の連続するサブフレームで転送されるサブフレームバンドリング転送モードで作動するときに、前記多重化したデータを穿孔することによってＡＣＫ／ＮＡＣＫ（ＡＣＫｎｏｗｌｅｄｇｅｍｅｎｔ／Ｎｅｇａｔｉｖｅ  ＡＣＫｎｏｗｌｅｄｇｅｍｅｎｔ）情報を挿入する、請求項５に記載のユーザ機器。
【発明の詳細な説明】
【技術分野】
【０００１】
本発明は、移動通信技術に係り、アップリンク信号転送方法に関するものである。
【背景技術】
【０００２】
移動通信システムにおいて、ユーザ機器（Ｕｓｅｒ  Ｅｑｕｉｐｍｅｎｔ）は、基地局からダウンリンク（Ｄｏｗｎｌｉｎｋ）を通じて情報を受信することができ、また、アップリンク（Ｕｐｌｉｎｋ）を通じて情報を転送することができる。ユーザ機器が転送または受信する情報には、データ及び種々の制御情報があり、ユーザ機器の転送または受信する情報の種類及び用途に応じて様々な物理チャネルが存在する。
【０００３】
図１は、移動通信システムの一例である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）システムに用いられる物理チャネル及びこれらの物理チャネルを用いる一般の信号転送方法を説明するための図である。
【０００４】
電源がついたり、新しくセルに進入したりしたユーザ機器は、ステップＳ１０１で、基地局と同期を合わせる等の初期セル検索（Ｉｎｉｔｉａｌ  ｃｅｌｌ  ｓｅａｒｃｈ）作業を行う。このために、ユーザ機器は、基地局から主同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び副同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を合わせ、セルＩＤなどの情報を獲得することができる。その後、ユーザ機器は、基地局から物理放送チャネル（Ｐｈｙｓｉｃａｌ  Ｂｒｏａｄｃａｓｔ  Ｃｈａｎｎｅｌ）を受信してセル内の放送情報を獲得することができる。一方、ユーザ機器は、初期セル検索ステップにおいてダウンリンク参照信号（Ｄｏｗｎｌｉｎｋ  Ｒｅｆｅｒｅｎｃｅ  Ｓｉｇｎａｌ：ＤＬＲＳ）を受信してダウンリンクチャネル状態を確認することができる。
【０００５】
初期セル検索を終えたユーザ機器は、ステップＳ１０２で、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）及び物理ダウンリンク制御チャネル情報による物理ダウンリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を獲得することができる。
【０００６】
一方、基地局との接続を完了していないユーザ機器は、基地局との接続を完了するために、以降、ステップＳ１０３乃至ステップＳ１０６のようなランダムアクセス手順（Ｒａｎｄｏｍ  Ａｃｃｅｓｓ  Ｐｒｏｃｅｄｕｒｅ）を行うことができる。このために、ユーザ機器は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を通じて特定シーケンスをプリアンブルとして転送し（Ｓ１０３）、物理ダウンリンク制御チャネル及びこれに対応する物理ダウンリンク共有チャネルを通じて当該ランダムアクセスに対する応答メッセージを受信することができる（Ｓ１０４）。ハンドオーバー（Ｈａｎｄｏｖｅｒ）の場合を除く競合ベースランダムアクセスの場合、以降、追加的な物理ランダムアクセスチャネルの転送（Ｓ１０５）、及び物理ダウンリンク制御チャネル及びこれに対応する物理ダウンリンク共有チャネル受信（Ｓ１０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【０００７】
上記の手順を行ったユーザ機器は、以降、一般的なアップ／ダウンリンク信号転送手順として物理ダウンリンク制御チャネル／物理ダウンリンク共有チャネルの受信（Ｓ１０７）、及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）／物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の転送（Ｓ１０８）を行うことができる。
【０００８】
図２は、ユーザ機器がアップリンク信号を転送するための信号処理を説明するための図である。
【０００９】
アップリンク信号を転送するために、ユーザ機器のスクランブリングモジュール２０１は、ユーザ機器特定（ＵＥ−ｓｐｅｃｉｆｉｃ）スクランブリング信号を用いて転送信号をスクランブリングすることができる。このようにスクランブリングされた信号は、変調マッパー２０２に入力されて、転送信号の種類及び／またはチャネル状態に応じてＢＰＳＫ、ＱＰＳＫまたは１６ＱＡＭ方式で複素シンボルに変調される。その後、変調された複素シンボルは、変換プリコーダ２０３で処理された後、リソース要素マッパー２０４に入力され、リソース要素マッパー２０４は、この複素シンボルを実の転送に用いられる時間−周波数リソース要素にマッピングすることができる。このように処理された信号は、ＳＣ−ＦＤＭＡ信号生成器２０５を経てアンテナから基地局に転送することができる。
【００１０】
図３は、基地局がダウンリンク信号を転送するための信号処理を説明するための図である。
【００１１】
３ＧＰＰ  ＬＴＥシステムで、基地局は、ダウンリンクで一つ以上のコードワード（Ｃｏｄｅ  Ｗｏｒｄ）を転送することができる。したがって、一つ以上のコードワードはそれぞれ、図２のアップリンクにおいてと同様に、スクランブリングモジュール３０１及び変調マッパー３０２によって複素シンボルとされることができる。その後、複素シンボルは、レイヤーマッパー３０３により複数のレイヤー（Ｌａｙｅｒ）にマッピングされ、各レイヤーは、プリコーディングモジュール３０４でチャネル状態に応じて選択された所定プリコーディング行列と乗算されて各転送アンテナに割り当てられることができる。このように処理された各アンテナ別転送信号は、それぞれ、リソース要素マッパー３０５で転送に用いられる時間−周波数リソース要素にマッピングされ、以降、ＯＦＤＭ信号生成器３０６を経て各アンテナから転送されることができる。
【００１２】
移動通信システムにおいて、ユーザ機器がアップリンクで信号を転送する場合は、基地局がダウンリンクで信号を転送する場合に比べて、ＰＡＰＲ（Ｐｅａｋ−ｔｏ−Ａｖｅｒａｇｅ  Ｒａｔｉｏ）がより問題とされうる。このため、図２及び図３で上述したように、アップリンク信号転送では、ダウンリンク信号転送に用いられるＯＦＤＭＡ方式ではなく、ＳＣ−ＦＤＭＡ方式が用いられている。
【００１３】
図４は、移動通信システムにおいてアップリンク信号転送のためのＳＣ−ＦＤＭＡ方式とダウンリンク信号転送のためのＯＦＤＭＡ方式を説明するための図である。
【００１４】
ユーザ機器及び基地局は、それぞれ、アップリンク信号転送及びダウンリンク信号転送ために、直列−並列変換器（Ｓｅｒｉａｌ−ｔｏ−Ｐａｒａｌｌｅｌ  Ｃｏｎｖｅｒｔｅｒ）４０１、サブキャリアマッパー４０３、Ｍ−ポイントＩＤＦＴモジュール４０４及び並列−直列変換器（Ｐａｒａｌｌｅｌ−ｔｏ−Ｓｅｒｉａｌ  Ｃｏｎｖｅｒｔｅｒ）４０５を含む点においては同一である。ただし、ＳＣ−ＦＤＭＡ方式で信号を転送するために、ユーザ機器は、ｎ−ポイントＤＦＴモジュール４０２をさらに含み、これによって、Ｍ−ポイントＩＤＦＴモジュール４０４のＩＤＦＴ処理の影響をある程度打ち消すことによって転送信号が単一搬送波特性を持つようにすることを特徴とする。
【００１５】
上記のような移動通信システムにおいてユーザ機器がアップリンクで転送する制御情報は、データの転送される帯域と区別される特定帯域を通じて転送され、転送方式も様々なものとすることができる。いくつかの制御情報は、あらかじめ設定された周期によって周期的に転送されることもでき、いくつかの制御情報は、基地局の要請に応じて非周期的に転送されることもできる。
【００１６】
ただし、このような移動通信システムで、ユーザ機器がデータを転送する時点と制御情報を転送する時点とが重なる場合、上記のＳＣ−ＦＤＭＡ特性を維持するには特別な処理が要求される。
【発明の概要】
【発明が解決しようとする課題】
【００１７】
上記の点に鑑みて、本発明は、従来技術の制約及び不都合により発生する問題を解決することができる、アップリンク信号転送方法を対象とする。
【００１８】
本発明の目的は、ユーザ機器が制御情報を転送する時点とデータを転送する時点とが重複する場合における問題を解決するための方法を提供することにある。
【００１９】
本発明の他の目的は、ユーザ機器がサブフレームバンドリング転送モードで作動する場合にアップリンクで転送する制御情報を処理する方法を提供することにある。
【課題を解決するための手段】
【００２０】
上記の課題を解決するための本発明の一様相において、アップリンク信号を転送する方法は、ユーザ機器が所定の周期で周期的制御信号を物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を通じて転送するステップと、前記ユーザ機器が、前記アップリンク信号が複数の連続するサブフレームで転送されるサブフレームバンドリング転送モードで作動する場合、前記周期的制御信号を無視（ｄｒｏｐ）し、該周期的制御信号を除く前記アップリンク信号を多重化するステップと、及び前記多重化されたアップリンク信号を物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）を通じて転送するステップと、を含む。
【００２１】
前記複数の連続するサブフレームは、４サブフレームとすることができる。
【００２２】
前記周期的制御情報は、チャネル品質情報（Ｃｈａｎｎｅｌ  Ｑｕａｌｉｔｙ  Ｉｎｄｉｃａｔｉｏｎ；ＣＱＩ）、プリコーディング行列インデックス（Ｐｒｅｃｏｄｉｎｇ  Ｍａｔｒｉｘ  Ｉｎｄｉｃａｔｏｒ；ＰＭＩ）及びランク情報（Ｒａｎｋ  Ｉｎｄｉｃａｔｉｏｎ；ＲＩ）のうち少なくとも１つを含むことができる。
【００２３】
上記方法は、前記ユーザ機器が、アップリンク信号が複数の連続するサブフレームで転送されるサブフレームバンドリング転送モードで作動するときに、前記多重化したアップリンク信号を穿孔（ｐｕｎｃｔｕｒｉｎｇ）することによってＡＣＫ／ＮＡＣＫ（ＡＣＫｎｏｗｌｅｄｇｅｍｅｎｔ／Ｎｅｇａｔｉｖｅ  ＡＣＫｎｏｗｌｅｄｇｅｍｅｎｔ）情報を挿入するステップをさらに含むことができる。
【００２４】
本発明の他の様相において、ユーザ機器は、ＲＦ（Ｒａｄｉｏ  Ｆｒｅｑｕｅｎｃｙ）ユニットと、該ＲＦユニットと作動可能に連結されている処理部と、該処理部と作動可能に連結されているメモリユニットと、を含む。前記処理部は、前記ＲＦユニットを用いて所定の周期で周期的制御信号を物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を通じて転送し、また、前記ユーザ機器が、前記メモリユニットに保存されているデータが、複数の連続するサブフレームで転送されるサブフレームバンドリング転送モードで作動するときに、前記周期的制御信号を無視し、該周期的制御信号を除く前記データを多重化し、該多重化されたデータを物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）を通じて転送する。
【００２５】
前記複数の連続するサブフレームは、４サブフレームとすることができ。
【００２６】
前記周期的制御情報は、チャネル品質情報（Ｃｈａｎｎｅｌ  Ｑｕａｌｉｔｙ  Ｉｎｄｉｃａｔｉｏｎ；ＣＱＩ）、プリコーディング行列インデックス（Ｐｒｅｃｏｄｉｎｇ  Ｍａｔｒｉｘ  Ｉｎｄｉｃａｔｏｒ；ＰＭＩ）及びランク情報（Ｒａｎｋ  Ｉｎｄｉｃａｔｉｏｎ；ＲＩ）のうち少なくとも１つを含むことができる。
【００２７】
前記処理部は、前記ユーザ機器が、前記メモリユニットに保存されているデータが、複数の連続するサブフレームで転送されるサブフレームバンドリング転送モードで作動するときに、前記多重化したデータを穿孔（ｐｕｎｃｔｕｒｉｎｇ）することによってＡＣＫ／ＮＡＣＫ（ＡＣＫｎｏｗｌｅｄｇｅｍｅｎｔ／Ｎｅｇａｔｉｖｅ  ＡＣＫｎｏｗｌｅｄｇｅｍｅｎｔ）情報を挿入することができる。
【００２８】
上記の概括的な説明及び以下の詳細な説明は両方とも例示的で且つ説明的なもので、請求される本発明をさらに説明するためのものであることが理解される。
【発明の効果】
【００２９】
本発明の実施形態によると、ユーザ機器が制御情報を転送する時点とデータを転送する時点とが重複しても、単一搬送波特性を維持することができる。
【００３０】
また、本発明の実施形態によると、サブフレームをバンドリングしてデータを転送する時点と制御情報を転送する時点とが重複する場合に、上述した制御情報の処理方法を用いることによって、データの性能を確保するとともに、データの転送遅延を防止することができる。
【図面の簡単な説明】
【００３１】
添付の図面は、本発明の理解を助けるために含まれ、本明細書の一部を構成するもので、発明の原理を説明するために提供される明細書と共に本発明の実施例を図示する。
【００３２】
【図１】移動通信システム、例えば、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）システムに用いられる物理チャネル、及びこれらのチャネルを用いた一般的な信号転送方法を説明するための図である。
【図２】ユーザ機器がアップリンク信号を転送するための信号処理を説明するための図である。
【図３】基地局がダウンリンク信号を転送するための信号処理を説明するための図である。
【図４】移動通信システムでアップリンク信号転送のためのＳＣ−ＦＤＭＡ方式とダウンリンク信号転送のためのＯＦＤＭＡ方式を説明するための図である。
【図５】アップリンク信号転送のために、データと制御信号を多重化する動作を示す図である。
【図６】所定の周期で物理アップリンク制御チャネルを通じて転送されるアップリンクＣＱＩの周期的転送を示す図である。
【図７】周期的ＣＱＩ転送とデータ転送とが重複する場合における信号処理動作を示す図である。
【図８】周期的制御情報を説明するためのサブフレームを示す図である。
【図９】一般転送モードにおけるサブフレーム転送方式を示す図である。
【図１０】一般転送モードにおけるサブフレーム転送方式を示す図である。
【図１１】サブフレームバンドリング転送モードにおけるサブフレーム転送方式を示す図である。
【図１２】サブフレームバンドリング転送モードにおけるサブフレーム転送方式を示す図である。
【図１３】サブフレームバンドリング転送モードにおけるサブフレーム転送方式を示す図である。
【図１４】本発明によるサブフレームバンドリング転送モードで動作するユーザ機器において、周期的制御情報を転送する方法を示す図である。
【図１５】ユーザ機器に適用可能であるとともに上記の方法を行うことができる装置を示す構成ブロック図である。
【発明を実施するための形態】
【００３３】
以下、添付の図面を参照しつつ本発明の好適な実施形態について説明する。ただし、図面中、同一の構成要素には可能な限り同一の参照符号を付する。
【００３４】
移動通信システムにおいて、ユーザ機器は、アップリンクを通じて種々の情報を転送する。ユーザ機器がアップリンクで転送する情報は、データと制御情報とに大別することができる。制御情報は、ＡＣＫ（ＡＣＫｎｏｗｌｅｄｇｍｅｎｔ）／ＮＡＣＫ（Ｎｅｇａｔｉｖｅ  ＡＣＫｎｏｗｌｅｄｇｅｍｅｎｔ）、ＣＱＩ（Ｃｈａｎｎｅｌ  Ｑｕａｌｉｔｙ  Ｉｎｄｉｃａｔｉｏｎ）／ＰＭＩ（Ｐｒｅｃｏｄｉｎｇ  Ｍａｔｒｉｘ  Ｉｎｄｉｃａｔｏｒ）及びランク情報（Ｒａｎｋ  Ｉｎｄｉｃａｔｉｏｎ；ＲＩ）を含む。
【００３５】
図５は、アップリンク信号転送のために、データと制御情報とを多重化する動作を示す図である。
【００３６】
図５を参照すると、制御情報と一緒に多重化されるデータの転送ブロック（Ｔｒａｎｓｐｏｒｔ  Ｂｌｏｃｋ；以下、“ＴＢ”という。）に、ＴＢ用ＣＲＣ（Ｃｙｃｌｉｃ  Ｒｅｄｕｎｄａｎｃｙ  Ｃｈｅｃｋ）を付着した後（Ｓ５０１）、ＣＲＣ付きデータは、ＴＢのサイズによって複数のコードブロック（Ｃｏｄｅ  ｂｌｏｃｋ；以下、“ＣＢ”）に分けられ（Ｓ５０２）、これらのＣＢにはＣＢ用ＣＲＣが付着され（Ｓ５０３）、これらのＣＲＣ付きＣＢにチャネル符号化が行われる（Ｓ５０４）。これらのチャネル符号化されたデータＣＢは、レートマッチング（Ｒａｔｅ  Ｍａｔｃｈｉｎｇ）を経て（Ｓ５０５）、互いに結合する（Ｓ５０６）。これら結合したＣＢは、以降、制御信号と多重化される（Ｓ５０７）。
【００３７】
一方、ＣＱＩ／ＰＭＩは、ＣＲＣが付着された後（Ｓ５０８）に、データと別に、チャネル符号化される（Ｓ５０９）。チャネル符号化されたＣＱＩ／ＰＭＩは、レートマッチング後に（Ｓ５１０）、データと多重化される（Ｓ５０７）。
【００３８】
また、ランク（Ｒａｎｋ）情報も同様、データと別にチャネル符号化が行われる（Ｓ５１１）。チャネル符号化されたランク情報は、レートマッチング後に（Ｓ５１２）、データと多重化される（Ｓ５０７）。
【００３９】
多重化されたデータ及びＣＱＩ／ＰＭＩ及びランク情報は、チャネルインターリービング（Ｃｈａｎｎｅｌ  Ｉｎｔｅｒｌｅａｖｉｎｇ）される（Ｓ５１３）。
【００４０】
ＡＣＫ／ＮＡＣＫ情報は、データ、ＣＱＩ／ＰＭＩ及びランク情報と別に、チャネル符号化され（Ｓ５１４）、該チャネル符号化されたＡＣＫ／ＮＡＣＫ情報は、穿孔（ｐｕｎｃｔｕｒｉｎｇ）などによって前記チャネルインターリービングされた信号の一部に挿入され、これらのＡＣＫ／ＮＡＣＫ情報の挿入されたチャネルインターリービングされた信号は、物理リソース（ｐｈｙｓｉｃａｌ  ｒｅｓｏｕｒｃｅ）にマッピングされた後に（Ｓ５１５）、アップリンクで転送される。
【００４１】
図６は、ＰＵＣＣＨ（Ｐｈｙｓｉｃａｌ  Ｕｐｌｉｎｋ  Ｃｏｎｔｒｏｌ  ＣＨａｎｎｅｌ）を通じて所定の周期でＣＱＩが転送されることを示す図である。ユーザ機器が周期的にアップリンクでＣＱＩを転送するように設定された場合、ユーザ機器は、図６に示すように、ＰＵＣＣＨを通じてアップリンクで周期的にＣＱＩを転送する。このように周期的にアップリンクで転送されるＣＱＩを、周期的ＣＱＩと称する。
【００４２】
図７は、周期的ＣＱＩとデータとが同時に転送される場合における信号処理動作を示す図である。図７に示すように、周期的ＣＱＩがＰＵＣＣＨを通じて転送される時点とデータがＰＵＳＣＨ（Ｐｈｙｓｉｃａｌ  Ｕｐｌｉｎｋ  Ｓｈａｒｅｄ  ＣＨａｎｎｅｌ）を通じて転送される時点とが一致する場合、周期的ＣＱＩは、ＰＵＳＣＨに挿入（ｅｍｂｅｄｄｉｎｇ）されてピギーバック転送（ｐｉｇｇｙｂａｃｋ  ｔｒａｎｓｍｉｓｓｉｏｎ）される。図７では、周期的ＣＱＩを例にしているが、ランク情報（Ｒａｎｋ  Ｉｎｄｉｃａｔｉｏｎ）が周期的に転送される場合にも、図７の周期的ＣＱＩが転送される方法と同様の方法によってアップリンクで転送される。
【００４３】
図７では、ＰＵＳＣＨを通じてデータを転送するために一つのサブフレームを使用したが、セル境界に位置しているユーザ機器に対するカバレッジ（ｃｏｖｅｒａｇｅ）を拡張するために、時間軸上で連続する所定個数のサブフレームを用いてＰＵＳＣＨを通じてデータをアップリンクで転送することができる。時間軸上で連続する所定個数のサブフレームを用いて同一のデータを転送することを、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）では、サブフレームバンドリング（ｓｕｂｆｒａｍｅ  ｂｕｎｄｌｉｎｇ）と命名する。
【００４４】
このようなサブフレームバンドリングを用いてデータを転送するように設定された、すなわち、サブフレームバンドリング転送モードで作動するユーザ機器において、データと制御信号とが同時に転送される場合に、制御情報をどのように処理するべきかが問題とされる。
【００４５】
アップリンクでデータと一緒に転送可能な制御情報は、２つに分類されることができる。例えば、アップリンクでデータと一緒に転送可能な制御情報は、ダウンリンクデータに対する確認信号であるアップリンク（ＵＬ）ＡＣＫ／ＮＡＣＫ情報と、その他の制御情報とに区別することができる。ダウンリンクデータに対するＡＣＫ／ＮＡＣＫ情報は、ダウンリンクデータが存在する時にのみ転送される。ダウンリンクデータを受け取っていないユーザ機器は、自身がアップリンクＡＣＫ／ＮＡＣＫ情報を転送できず、よって、アップリンクＡＣＫ／ＮＡＣＫ情報がその他の制御情報に影響を与えてはならない。
【００４６】
したがって、以下の説明では、ＡＣＫ／ＮＡＣＫ情報とＡＣＫ／ＮＡＣＫとは別に転送される任意の別の制御情報とを便利に区別して説明するために、“制御情報”は、ＡＣＫ／ＮＡＣＫ信号を除く任意の制御信号のみとし、ＡＣＫ／ＮＡＣＫ信号は別に“ＡＣＫ／ＮＡＣＫ信号”とする。特定実施形態において、制御信号は、ＣＱＩ／ＰＭＩ及びＲＩのうち少なくとも１つを含むことができる。
【００４７】
アップリンク転送において、データは制御情報と一緒に転送されることができ、データ及び制御情報と一緒にＡＣＫ／ＮＡＣＫ情報も転送されることがある。また、データとＡＣＫ／ＮＡＣＫ情報のみが一緒にアップリンクで転送されることもある。
【００４８】
また、以下では、制御情報を、周期的制御情報と非周期的制御情報とに区別する。周期的制御情報は、ユーザ機器（Ｕｓｅｒ  Ｅｑｕｉｐｍｅｎｔ）がｅＮＢ（ｅｖｏｌｖｅｄ  ＮｏｄｅＢ）に周期的に転送する制御情報を意味し、非周期的制御情報は、ユーザ機器がｅＮＢから承認を受けて非周期的にｅＮＢに転送する制御情報を意味する。周期的制御情報と非周期的制御情報は両方とも、ＣＱＩ／ＰＭＩとＲＩのうち少なくとも１つを含むことができる。
【００４９】
以下、サブフレームバンドリングを用いてＰＵＳＣＨでデータを転送する場合にデータの転送時点と制御情報の転送時点とが一致する場合における制御情報の処理方法について説明する。図８は、周期的制御情報を説明するためのサブフレームを示す図である。図８に示すように、サブフレームは、ＰＵＳＣＨを通じて転送される領域とＰＵＣＣＨを通じて転送される領域とに区別される。
【００５０】
周期的制御情報は、ｅＮＢがユーザ機器に一定の周期で制御情報を要求する手段である。周期的に制御情報をアップリンクで転送するように設定されているユーザ機器は、周期的に特定サブフレームにＣＱＩ／ＰＭＩまたはランク情報を転送する。周期的制御情報を転送しようとする時点で転送するデータが存在しないと、ユーザ機器は、ＰＵＣＣＨを通じてアップリンクで周期的制御情報を転送する。一方、周期的制御情報を転送しようとする時点で転送するデータが存在すると、ユーザ機器は、周期的制御情報をデータと多重化（ｍｕｌｔｉｐｌｅｘｉｎｇ）してＰＵＳＣＨを通じてアップリンクで転送する。
【００５１】
非周期的制御情報は、ｅＮＢがＵＥにダウンリンクのＰＤＣＣＨ（Ｐｈｙｓｉｃａｌ  Ｄｏｗｎｌｉｎｋ  Ｃｏｎｔｒｏｌ  Ｃｈａｎｎｅｌ）を通じて転送するアップリンクスケジューリング承認信号（Ｕｐｌｉｎｋ  Ｓｃｈｅｄｕｌｉｎｇ  Ｇｒａｎｔ）にトリガー（ｔｒｉｇｇｅｒ）されて、アップリンクで転送される。ここで、アップリンクスケジューリング承認信号は、データまたは非周期的制御情報の転送のために、ＰＵＳＣＨ領域での特定周波数及び転送されるリソースブロックなどを含む様々な情報をＵＥに提供する。
【００５２】
非周期的制御情報は、必ずＰＵＳＣＨを通じてのみ転送されうるもので、ｅＮＢから受信したアップリンクスケジューリング承認信号によって非周期的制御情報の転送が承認された時にのみアップリンクで転送される。
【００５３】
図９及び図１０は、一般転送モード（ｎｏｒｍａｌ  ｔｒａｎｓｍｉｓｓｉｏｎ  ｍｏｄｅ）でサブフレームの転送方式を示す図である。図９に示すように、一般転送モードでは、全てのデータが１個のサブフレーム単位で転送される。また、特定ＰＵＳＣＨのデータに誤りが発生すると、ユーザ機器は、８ＴＴＩ（８  Ｔｒａｎｓｍｉｓｓｉｏｎ  Ｔｉｍｅ  Ｉｎｔｅｒｖａｌ、図９では８ｍｓ）後に同一のデータを再転送（ｒｅ−ｔｒａｎｓｍｉｓｓｉｏｎ）することができる。
【００５４】
図１０を参照すると、８ハイブリッド自動再送要求（Ｈｙｂｒｉｄ  Ａｕｔｏｍａｔｉｃ  Ｒｅｐｅａｔ  ｒｅｑｕｅｓｔ：ＨＡＲＱ）プロセスは、一般転送モードで８個のサブフレームの間隔で動作する。１ＨＡＲＱプロセスからみると、ユーザ機器が（ｎ−４）番目のサブフレーム中のＰＤＣＣＨ上でＰＵＳＣＨスケジューリンググラント（ｇｒａｎｔ）信号を受信すると、該ユーザ機器は、ｎ番目のサブフレームでＰＵＳＣＨを転送する。このユーザ機器は、（ｎ＋４）番目のサブフレームで、ｎ番目のサブフレームで転送したＰＵＳＣＨに対するＡＣＫ／ＮＡＣＫを受信する。ユーザ機器が（ｎ＋４）番目のサブフレームでＮＡＣＫを受信すると、ユーザ機器は、（ｎ＋８）番目のサブフレームで再転送を行う。
【００５５】
図１１乃至図１３は、サブフレームバンドリング転送モードにおけるサブフレーム転送方式を示す図である。ユーザ機器がｅＮＢから遠く離れている、または、無線リンク（ｒａｄｉｏ  ｌｉｎｋ）の状況がよくない時、ｅＮＢは、ユーザ機器がサブフレームバンドリング転送モードで動作するように設定することができる。図１１に示すように、サブフレームバンドリング転送モードで作動するように設定されたユーザ機器は、時間軸上で連続する所定個数のサブフレームを用いてデータを転送する。
【００５６】
図１２を参照すると、４ＨＡＲＱプロセスは、サブフレームバンドリング転送モードで１６個のサブフレーム間隔で動作する。１ＨＡＲＱプロセスからみると、ユーザ機器が（ｎ−４）番目のサブフレーム中のＰＤＣＣＨ上でＰＵＳＣＨスケジューリンググラント信号を受信すると、該ユーザ機器は、ｎ番目のサブフレームでＰＵＳＣＨを転送する。ユーザ機器はｎ番目のサブフレームに続く（ｎ＋１）、（ｎ＋２）及び（ｎ＋３）番目のサブフレームで再転送を行う。ユーザ機器は、（ｎ＋７）番目のサブフレームで、当該４個の連続するＰＵＳＣＨ転送に対するＡＣＫ／ＮＡＣＫを受信する。もし、ＰＵＳＣＨの最後の再転送がｍ番目のサブフレームで行われたとすれば、ユーザ機器は、（ｍ＋４）番目のサブフレームで、当該４個の連続するＰＵＳＣＨ転送に対するＡＣＫ／ＮＡＣＫを受信することとなる。
【００５７】
図１３を参照すると、ユーザ機器が（ｎ−５）番目のサブフレームでＮＡＣＫを受信すると、該ユーザ機器は、（ｎ＋４）番目のサブフレームを含む４個の連続するサブフレーム上で再転送を行う。ＡＣＫ／ＮＡＣＫを受信したユーザ機器が４個のサブフレーム後に再転送を行わない理由は、初期（ｉｎｉｔｉａｌ）ＰＵＳＣＨ転送から１６サブフレーム間隔で再転送を行うからである。この時、時間軸上で連続する所定個数（例えば、４個）のサブフレームのうち、一つのサブフレームからみると、データは一般転送モードと同様にＰＵＳＣＨを通じて転送される。サブフレームバンドリング転送モードで４個のサブフレームのそれぞれは、一般転送転送モードにおけるサブフレームと同一に構成され、ただし、サブフレームバンドリング転送モードは、時間軸上で４個の連続するサブフレームが転送されるという点が、一般転送モードと異なる。
【００５８】
したがって、物理層の側面では、サブフレームバンドリング転送モードと一般転送モードに差異点は存在しない。ただし、一般転送モードでは転送信号が一つのサブフレーム単位で転送されるのに対し、サブフレームバンドリング転送モードでは転送信号が時間軸上で連続して４回転送される点が異なるだけである。
【００５９】
実施例１
サブフレームバンドリングを用いてＰＵＳＣＨでデータを転送する場合に、データの転送時点と周期的制御情報の転送時点とが一致する場合における制御情報の処理方法について説明する。
【００６０】
ユーザ機器がサブフレームバンドリング転送モードで作動（ｅｎａｂｌｅ）するように設定されている場合に、時間軸上で連続する４個のサブフレームがＰＵＳＣＨを通じて転送される。この場合、連続する４個のサブフレームがＰＵＳＣＨを通じて転送される時点と周期的制御情報がＰＵＣＣＨを通じて転送される時点とが一致する可能性が大きい。サブフレームバンドリングを行う理由は、データ性能がよくないからであるが、ＰＵＣＣＨを通じて転送される周期的制御情報を、ＰＵＳＣＨを通じて転送されるデータと多重化してＰＵＳＣＨを通じて転送すると、データの性能が悪くなる可能性が高い。
【００６１】
図１４は、本発明によるサブフレームバンドリング転送モードで作動するユーザ機器において、周期的制御情報を転送する方法を示す図である。周期的制御情報をデータと多重化してＰＵＳＣＨを通じて転送すると、データの性能が悪くなることがあるため、本発明では、図１４に示すように、サブフレームバンドリング転送モードで作動するユーザ機器において、ＰＵＳＣＨを通じてデータが転送される時点と、周期的制御情報がＰＵＣＣＨを通じて転送される時点とが一致する場合、ＰＵＣＣＨを通じた周期的制御情報の転送を無視（ｄｒｏｐ）し、データのみをＰＵＳＣＨを通じて転送することを提案する。このように、制御情報の転送を無視することによって、サブフレームバンドリング転送モードにおいて、データの性能が悪くなることを防止することができる。
【００６２】
一方、サブフレームバンドリング転送モードで作動するユーザ機器において、データがＰＵＳＣＨを通じて転送される時点とＡＣＫ（ＡＣＫｎｏｗｌｅｄｇｍｅｎｔ）／ＮＡＣＫ（Ｎｅｇａｔｉｖｅ  ＡＣＫｎｏｗｌｅｄｇｍｅｎｔ）情報が転送される時点とが一致する場合に、ＡＣＫ／ＮＡＣＫ情報の転送を無視すると、ダウンリンクでデータが再転送される際に転送ブロック（ｔｒａｎｓｐｏｒｔ  ｂｌｏｃｋ）の転送遅延（ｔｒａｎｓｍｉｓｓｉｏｎ  ｄｅｌａｙ）を招くことがある。
【００６３】
したがって、ユーザ機器がサブフレームバンドリング転送モードで作動している場合であっても、信頼性あるＡＣＫ／ＮＡＣＫ情報の転送を確保することが有利となる。本発明の好適な一実施形態では、ユーザ機器がサブフレームバンドリング転送モードで作動している場合に、全体ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）にわたってＡＣＫ／ＮＡＣＫ情報を配列して転送することを提案する。さらにいうと、ユーザ機器がサブフレームバンドリング転送モードで作動している場合に、穿孔によってバンドリングされたサブフレームの４個のＳＣ−ＦＤＭＡシンボルにＡＣＫ／ＮＡＣＫ情報を挿入し、該ＡＣＫ／ＮＡＣＫ情報の挿入されたバンドリングされたサブフレームをＰＵＳＣＨを通じてアップリンクで転送することができる。
【００６４】
実施例２
サブフレームバンドリングを用いてＰＵＳＣＨを通じてデータを転送する場合に、データの転送時点と非周期的制御情報の転送時点とが一致する場合における制御情報の処理方法について説明する。
【００６５】
ユーザ機器がサブフレームバンドリング転送モードで作動している場合に、もし、ＰＵＳＣＨを通じて転送するデータの転送ブロックサイズ（Ｔｒａｎｓｐｏｒｔ  Ｂｌｏｃｋ  Ｓｉｚｅ）が０でないとともに、サブフレームバンドリングしてデータを転送する時点と非周期的制御情報を転送する時点とが一致する場合に、ｅＮＢから受信したアップリンクスケジューリング承認信号によって非周期的制御情報の転送が承認されたとしても、ユーザ機器は、当該承認信号が有効でないと判断し、非周期的制御情報をアップリンクで転送しない場合がある。
【００６６】
一方、ユーザ機器がサブフレームバンドリング転送モードで動作している場合に、もし、ＰＵＳＣＨを通じて転送するデータの転送ブロックサイズが０（すなわち、転送するデータが存在しない場合）であるとともに、データを転送する時点と非周期的制御情報を転送する時点とが一致する場合には、非周期的制御情報の転送と関連して次の２通りの方法を考慮することができる。
【００６７】
その第一は、非周期的制御情報の転送を禁止する方法である。
【００６８】
第二は、ユーザ機器がサブフレームバンドリング転送モードで作動していても、非周期的制御情報を１個のサブフレームを用いてＰＵＳＣＨを通じて転送したり、データを転送するためにバンドリングされるサブフレームの個数と同数のサブフレームを用いて制御情報をＰＵＳＣＨを通じて転送する方法である。
【００６９】
図１５は、ユーザ機器に適用可能であり、上述の方法を行うことができるデバイスの構成を示すブロック図である。図１５に示すように、デバイス１５０は、処理ユニット１５１、メモリユニット１５２、ＲＦ（Ｒａｄｉｏ  Ｆｒｅｑｕｅｎｃｙ）ユニット１５３、ディスプレイユニット１５４、及びユーザインターフェースユニット１５５を含む。物理インターフェースプロトコル層は、処理ユニット１５１で処理される。処理ユニット１５１は、制御プレーン（ｐｌａｎｅ）及びユーザプレーン（ｐｌａｎｅ）を提供する。各層の機能は、処理ユニット１５１で行われることができる。メモリユニット１５２は、処理ユニット１５１と電気的に連結されており、オペレーティングシステム（ｏｐｅｒａｔｉｎｇ  ｓｙｓｔｅｍ）、応用プログラム（ａｐｐｌｉｃａｔｉｏｎ）及び一般ファイルを保存している。もし、デバイス１５０がユーザ機器であれば、ディスプレイユニット１５４は種々の情報を表示することができ、公知のＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）等からなることができる。ユーザインターフェースユニット１５５は、キーパッド、タッチスクリーンなどの公知のユーザインターフェースと結合して構成することができる。ＲＦユニット１５３は、処理ユニット１５１と電気的に連結されており、無線信号を転送及び受信する。
【００７０】
本明細書で、本発明の実施例はｅＮＢとユーザ機器とのデータ送受信関係を中心に説明された。ここで、ｅＮＢは、ユーザ機器と直接的に通信を行うネットワークの終端ノード（ｔｅｒｍｉｎａｌ  ｎｏｄｅ）を意味する。本文書で、ｅＮＢにより行われるとした特定動作は、場合によっては、ｅＮＢの上位ノード（ｕｐｐｅｒ  ｎｏｄｅ）によって行われることもできる。
【００７１】
すなわち、ｅＮＢを含む多数のネットワークノード（ｎｅｔｗｏｒｋ  ｎｏｄｅｓ）からなるネットワークでＵＥとの通信のために行われる種々の動作は、ｅＮＢまたはｅＮＢ以外の別のネットワークノードにより行われることができる。ここで、ｅＮＢは、固定局（ｆｉｘｅｄ  ｓｔａｔｉｏｎ）、Ｎｏｄｅ  Ｂ、アクセスポイント（ａｃｃｅｓｓ  ｐｏｉｎｔ）などの用語に代替可能である。また、本発明でユーザ機器は、‘移動端末（ＭＳ：Ｍｏｂｉｌｅ  Ｓｔａｔｉｏｎ）’に該当し、‘移動端末（ＭＳ）’は、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）または端末（Ｍｏｂｉｌｅ  Ｔｅｒｍｉｎａｌ）などの用語に代替可能である。
【００７２】
一方、本発明のユーザ機器には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００７３】
本発明の実施例は、様々な手段によって具現することができる。例えば、本発明の実施例は、ハードウェア、ファームウェア（ｆｉｒｍｗａｒｅ）、ソフトウェアまたはそれらの組み合わせなどにより具現することができる。
【００７４】
ハードウェアによる具現の場合、本発明の実施例による方法は、１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００７５】
ファームウェアやソフトウェアによる具現の場合、本発明の実施例による方法は、以上で説明された機能または動作を行うモジュール、手順または関数などの形態で具現することができる。ソフトウェアコードは、メモリユニットに格納されてプロセッサにより駆動されることができる。メモリユニットは、プロセッサの内部または外部に設けられて、公知の様々な手段によりプロセッサとデータを交換することができる。
【００７６】
本発明は、本発明の精神及び必須特徴を逸脱しない範囲で、別の特定の形態に具体化することができる。したがって、上記の詳細な説明はいずれの面においても制約的に解釈されてはならず、例示的なものとして考慮しなければならない。本発明の範囲は、添付された請求項の合理的解釈により定められなければならず、よって、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【産業上の利用可能性】
【００７７】
本発明の実施例は、３ＧＰＰ  ＬＴＥシステムの他、アップリンクを通じてデータ、制御信号及びＡＣＫ／ＮＡＣＫ信号を転送することが要求される種々のシステムにも適用することができる。
【図１】
2011523263.tif 000003
【図２】
2011523263.tif 000004
【図３】
2011523263.tif 000005
【図４】
2011523263.tif 000006
【図５】
2011523263.tif 000007
【図６】
2011523263.tif 000008
【図７】
2011523263.tif 000009
【図８】
2011523263.tif 000010
【図９】
2011523263.tif 000011
【図１０】
2011523263.tif 000012
【図１１】
2011523263.tif 000013
【図１２】
2011523263.tif 000014
【図１３】
2011523263.tif 000015
【図１４】
2011523263.tif 000016
【図１５】
2011523263.tif 000017
【手続補正書】
【提出日】平成22年11月9日(2010.11.9)
【手続補正１】
【補正対象書類名】明細書
【補正対象項目名】００２８
【補正方法】変更
【補正の内容】
【００２８】
上記の概括的な説明及び以下の詳細な説明は両方とも例示的で且つ説明的なもので、請求される本発明をさらに説明するためのものであることが理解される。
（項目１）
ユーザ機器が所定の周期で周期的制御信号を物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を通じて転送し、
前記ユーザ機器が、前記アップリンク信号が複数の連続するサブフレームで転送されるサブフレームバンドリング転送モードで作動する場合、前記周期的制御信号を無視し、該周期的制御信号を除く前記アップリンク信号を多重化し、
前記多重化されたアップリンク信号を物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）を通じて転送すること、
を含む、アップリンク信号転送方法。
（項目２）
前記複数の連続するサブフレームは、４サブフレームである、項目１に記載のアップリンク信号転送方法。
（項目３）
前記周期的制御情報は、チャネル品質情報（Ｃｈａｎｎｅｌ  Ｑｕａｌｉｔｙ  Ｉｎｄｉｃａｔｉｏｎ；ＣＱＩ）、プリコーディング行列インデックス（Ｐｒｅｃｏｄｉｎｇ  Ｍａｔｒｉｘ  Ｉｎｄｉｃａｔｏｒ；ＰＭＩ）及びランク情報（Ｒａｎｋ  Ｉｎｄｉｃａｔｉｏｎ；ＲＩ）のうち少なくとも１つを含む、項目１に記載のアップリンク信号転送方法。
（項目４）
前記ユーザ機器が、アップリンク信号が複数の連続するサブフレームで転送されるサブフレームバンドリング転送モードで作動する場合に、前記多重化したアップリンク信号を穿孔することによってＡＣＫ／ＮＡＣＫ（ＡＣＫｎｏｗｌｅｄｇｅｍｅｎｔ／Ｎｅｇａｔｉｖｅ  ＡＣＫｎｏｗｌｅｄｇｅｍｅｎｔ）情報を挿入することをさらに含む、項目１に記載のアップリンク信号転送方法。
（項目５）
ＲＦ（Ｒａｄｉｏ  Ｆｒｅｑｕｅｎｃｙ）ユニットと、
前記ＲＦユニットと作動可能に連結されている処理部と、
前記処理部と作動可能に連結されているメモリユニットと、
を含み、
前記処理部は、前記ＲＦユニットを用いて所定の周期で周期的制御信号を物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を通じて転送し、また、前記ユーザ機器が、前記メモリユニットに保存されているデータが複数の連続するサブフレームで転送されるサブフレームバンドリング転送モードで作動する場合に、前記周期的制御信号を無視し、該周期的制御信号を除く前記データを多重化し、該多重化されたデータを物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）を通じて転送する、ユーザ機器。
（項目６）
前記複数の連続するサブフレームは、４サブフレームである、項目５に記載のユーザ機器。
（項目７）
前記周期的制御情報は、チャネル品質情報（Ｃｈａｎｎｅｌ  Ｑｕａｌｉｔｙ  Ｉｎｄｉｃａｔｉｏｎ；ＣＱＩ）、プリコーディング行列インデックス（Ｐｒｅｃｏｄｉｎｇ  Ｍａｔｒｉｘ  Ｉｎｄｉｃａｔｏｒ；ＰＭＩ）及びランク情報（Ｒａｎｋ  Ｉｎｄｉｃａｔｉｏｎ；ＲＩ）のうち少なくとも１つを含む、項目５に記載のユーザ機器。
（項目８）
前記処理部は、前記ユーザ機器が、前記メモリユニットに保存されているデータが複数の連続するサブフレームで転送されるサブフレームバンドリング転送モードで作動するときに、前記多重化したデータを穿孔することによってＡＣＫ／ＮＡＣＫ（ＡＣＫｎｏｗｌｅｄｇｅｍｅｎｔ／Ｎｅｇａｔｉｖｅ  ＡＣＫｎｏｗｌｅｄｇｅｍｅｎｔ）情報を挿入する、項目５に記載のユーザ機器。
【手続補正２】
【補正対象書類名】特許請求の範囲
【補正対象項目名】全文
【補正方法】変更
【補正の内容】
【特許請求の範囲】
【請求項１】
ユーザ機器が所定の周期で周期的制御情報を物理アップリンク制御チャネル（Ｐｈｙｓｉｃａｌ  Ｕｐｌｉｎｋ  Ｃｏｎｔｒｏｌ  Ｃｈａｎｎｅｌ：ＰＵＣＣＨ）を通じて転送し、
前記ユーザ機器が、アップリンク信号が所定個数の連続するサブフレームで転送されるサブフレームバンドリング転送モードで動作する場合に、前記周期的制御情報をドロップ（ｄｒｏｐ）し、アップリンクデータを多重化し、
前記多重化されたアップリンクデータを物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）を通じて転送すること、
を含む、アップリンク信号転送方法。
【請求項２】
前記周期的制御情報は、前記ユーザ機器が前記サブフレームバンドリング転送モードで動作し、前記周期的制御情報の転送時点が、前記サブフレームバンドリング転送モードで転送されるアップリンクデータの転送時点と重なる場合に、ドロップされる、請求項１に記載のアップリンク信号転送方法。
【請求項３】
前記所定個数の連続するサブフレームは、４個の連続するサブフレームである、請求項２に記載のアップリンク信号転送方法。
【請求項４】
前記周期的制御情報は、チャネル品質情報（Ｃｈａｎｎｅｌ  Ｑｕａｌｉｔｙ  Ｉｎｄｉｃａｔｉｏｎ：ＣＱＩ）、プリコーディング行列インデックス（Ｐｒｅｃｏｄｉｎｇ  Ｍａｔｒｉｘ  Ｉｎｄｅｘ：ＰＭＩ）及びランク情報（Ｒａｎｋ  Ｉｎｄｉｃａｔｉｏｎ：ＲＩ）のうち少なくとも１つを含む、請求項３に記載のアップリンク信号転送方法。
【請求項５】
前記ユーザ機器が前記サブフレームバンドリング転送モードで動作し、ＡＣＫ（ＡＣＫｎｏｗｌｅｄｇｅｍｅｎｔ）／ＮＡＣＫ（Ｎｅｇａｔｉｖｅ  ＡＣＫｎｏｗｌｅｄｇｅｍｅｎｔ）情報の転送時点が、前記サブフレームバンドリング転送モードで転送されるアップリンクデータの転送時点と重なる場合は、前記ＡＣＫ／ＮＡＣＫ情報を、前記サブフレームバンドリング転送モードで転送されるアップリンクデータと多重化する、請求項４に記載のアップリンク信号転送方法。
【請求項６】
前記ユーザ機器がアップリンク信号を１個のサブフレーム単位で転送する正常転送モードで動作し、前記周期的制御情報の転送時点が、前記正常転送モードで転送されるアップリンクデータの転送時点と重なる場合は、前記周期的制御情報を、前記正常転送モードで転送されるアップリンクデータと多重化する、請求項１〜５のいずれか１項に記載のアップリンク信号転送方法。
【請求項７】
前記ユーザ機器が前記正常転送モードで動作し、前記周期的信号の転送時点がＡＣＫ／ＮＡＣＫ情報の転送時点と重なる場合、前記周期的信号及び前記ＡＣＫ／ＮＡＣＫ情報を、前記正常転送モードで転送されるアップリンクデータと多重化する、請求項６に記載のアップリンク信号転送方法。
【請求項８】
前記ＡＣＫ／ＮＡＣＫ情報は、穿孔（ｐｕｎｃｔｕｒｉｎｇ）によって多重化される、請求項７に記載のアップリンク信号転送方法。
【請求項９】
アップリンク信号を転送するユーザ機器であって、
無線周波数（ｒａｄｉｏ  ｆｒｅｑｕｅｎｃｙ：ＲＦ）ユニットと、
前記ＲＦユニットと作動可能に連結されている処理部と、
を含み、
前記処理部は、
所定の周期で周期的制御情報を物理アップリンク制御チャネル（Ｐｈｙｓｉｃａｌ  Ｕｐｌｉｎｋ  Ｃｏｎｔｒｏｌ  Ｃｈａｎｎｅｌ：ＰＵＣＣＨ）を通じて転送し、
前記ユーザ機器がアップリンク信号が所定個数の連続するサブフレームで転送されるサブフレームバンドリング転送モードで動作する場合、前記周期的制御情報をドロップ（ｄｒｏｐ）し、アップリンクデータを多重化し、及び
前記多重化されたアップリンクデータを物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）を通じて転送する
ように前記ＲＦユニットを制御するように構成される、ユーザ機器。
【請求項１０】
前記処理部は、前記ユーザ機器が前記サブフレームバンドリング転送モードで動作し、前記周期的制御情報の転送時点が、前記サブフレームバンドリング転送モードで転送されるアップリンクデータの転送時点と重なる場合に、前記周期的制御情報をドロップするように構成される、請求項９に記載のユーザ機器。
【請求項１１】
前記所定個数の連続するサブフレームは、４個の連続するサブフレームである、請求項１０に記載のユーザ機器。
【請求項１２】
前記周期的制御情報は、チャネル品質情報（Ｃｈａｎｎｅｌ  Ｑｕａｌｉｔｙ  Ｉｎｄｉｃａｔｉｏｎ：ＣＱＩ）、プリコーディング行列インデックス（Ｐｒｅｃｏｄｉｎｇ  Ｍａｔｒｉｘ  Ｉｎｄｅｘ：ＰＭＩ）及びランク情報（Ｒａｎｋ  Ｉｎｄｉｃａｔｉｏｎ：ＲＩ）のうち少なくとも１つを使用する、請求項１１に記載のユーザ機器。
【請求項１３】
前記処理部は、前記ユーザ機器が前記サブフレームバンドリング転送モードで動作し、ＡＣＫ（ＡＣＫｎｏｗｌｅｄｇｅｍｅｎｔ）／ＮＡＣＫ（Ｎｅｇａｔｉｖｅ  ＡＣＫｎｏｗｌｅｄｇｅｍｅｎｔ）情報の転送時点が、前記サブフレームバンドリング転送モードで転送されるアップリンクデータの転送時点と重なる場合、前記ＡＣＫ／ＮＡＣＫ情報を、前記サブフレームバンドリング転送モードで転送されるアップリンクデータと多重化するように構成される、請求項１２に記載のユーザ機器。
【請求項１４】
前記処理部は、前記ユーザ機器がアップリンク信号を１個のサブフレーム単位で転送する正常転送モードで動作し、前記周期的制御情報の転送時点が、前記正常転送モードで転送されるアップリンクデータの転送時点と重なる場合、前記周期的制御情報を、前記正常転送モードで転送されるアップリンクデータと多重化するように構成される、請求項９〜１３のいずれか１項に記載のユーザ機器。
【請求項１５】
前記処理部は、前記ユーザ機器が前記正常転送モードで動作し、前記周期的信号の転送時点がＡＣＫ／ＮＡＣＫ情報の転送時点と重なる場合、前記周期的信号及び前記ＡＣＫ／ＮＡＣＫ情報を、前記正常転送モードで転送されるアップリンクデータと多重化するように構成される、請求項１４に記載のユーザ機器。
【請求項１６】
前記処理部は、前記ＡＣＫ／ＮＡＣＫ情報を穿孔（ｐｕｎｃｔｕｒｉｎｇ）によって多重化するように構成される、請求項１５に記載のユーザ機器。
【国際調査報告】
2011523263.tif 000018
2011523263.tif 000019